(57)【要約】      （修正有）【課題】金属系と接着系を組合せた引抜けないハイブリッド拡底板付きあと施工アンカーを提供する。【解決手段】金属系アンカー１としてはＪＩＳ  Ｇ３１１２  異形棒鋼Ｄ１９  ２の先端に凹部を有する直径４３ｍｍφの拡底板４を熔接して引抜けないアンカーとした。接着系アンカーとしては金属系アンカー１挿入後、隙間にエボキシ樹脂等の樹脂系接着剤の主剤・硬化剤を均一になる迄撹拌混合したものを、又は無収縮モルタルと水の混合物をコーキングガン等を用いて流し込み、之等の硬化又は固化した成型物５が金属系アンカー１を含んで一体化した裾拡がりで引抜けない塊とした。【選択図】図３
0003229381.tif 000002
【実用新案登録請求の範囲】
【請求項１】
異形棒鋼の先端に凹部３を有する拡底板４を熔接した構造のあと施工アンカー。
拡底板４は、厚さ６ｍｍ以上、直径は異形棒鋼２の直径の２倍以上のＳＳ４００の円形鉄板である。
【請求項２】
前記アンカー筋を穴に挿入後、エポキシ樹脂、エポキシアクリレート樹脂、不飽和ポリエステル樹脂等樹脂系接着剤の主剤、硬化剤の混合物、又は無収縮モルタルと水の混合物を隙間に流し込み、空気の残らないように液を充分に行き渡らせる。樹脂の硬化、又はセメントの固化後は穴内容物全体が一つの塊の成型物となり、穴の壁に強力に接着する。前記一塊になったハイブリッド拡底板付きあと施工アンカー成型物の構造。
【考案の詳細な説明】
【技術分野】
【０００１】  建築物の接合や設備機器の取り付けのために用いられているあと施工アンカーに関する。
【背景技術】
【０００２】  あと施工アンカーには金属系と接着系の２種類がある。金属系はハンマードリルを用いてコンクリート面に垂直に円形の穴を穿孔し、金属系あと施工アンカーを挿入後
芯棒、内部コーン、本体、スリーブ――打込み方式
コーンナット、テーパーボルト、ダブルコーン、ウェッジ――締付け方式
いずれかの方式で拡張部を拡げてアンカーが引抜けないようにする方法である。
他法接着系は穿孔後、ガラス管に主剤、硬化剤、骨材の入ったカプセルや、紙チューブにセメントモルタルの入ったカプセルを挿入し、先の尖った全ねじボルトを回転打撃又は打込んでカプセルを破り、中味の樹脂の主剤、硬化剤の混合物を硬化させ又はセメントモルタルと水の混合物を固化させ穴を埋めるものである。
【考案の概要】
【考案が解決しようとする課題】
【０００３】  従来の金属系あと施工アンカーの拡張巾は２ｍｍ以下で、重量のある天井等を吊るしたアンカーで絶えず風圧や振動の加わる場合等アンカーが抜け落ちる恐れがある。他法の接着系の場合でも全ねじボルトの回転では樹脂の主剤、硬化剤、骨材の混合は不十分である。又、穴には壊れたカプセルの残材と空気が詰まっていて接着剤は穴入口に少し付いている程度で容易にアンカーが抜ける恐れがある。平成２４年起きた高速道路笹子トンネル天井板落下事故（死者９名）に用いられたアンカーは接着系あと施工アンカーで事故調査検討委員会が引抜試験した結果は９％が引抜抵抗力１２．２ｋＮ未満で、中には０ｋＮ迄あった。
【課題を解決するための手段】
【０００４】  金属系あと施工アンカーを挿入後打込方式でも締付け方式でも拡張部の拡張巾は０〜２ｍｍと小さいのでアンカーが抜ける恐れがある。異形棒鋼２の直径（Ｄ１９の場合約２０ｍｍφ）より大きい直径を持つ円形の拡底板４を設けることで解決した。拡底板の直径が大きければ大きい程裾拡がりで引抜けなくなるが、一方穿孔時のドリルビットの寸法に制約があり国産ドリルビットは最大３８ｍｍφ、外国製で４５ｍｍφである。依って拡底板は４３ｍｍφの円形で、厚さは６ｍｍ以上のＳＳ４００鉄板であれば引張試験で座屈しない。凹部３の形状は半円でも角型でも構わない。大径穴あけにはドリルビット以外ダイヤモンド粒によるコアビットによる方法もある。【０００５】  本考案のアンカー筋挿入後、エボキシ樹脂、エボキシアクリレート樹脂――過酸化ベンゾイル、不飽和ポリエステル――過酸化ベンゾイル等樹脂系接着剤の主剤、硬化剤の混合物、又は無収縮モルタルと水の混合物を隙間に流し込み、空気の残らないように液を充分に行き渡らせる。樹脂の硬化又はセメントの固化後は穴の内容物全体が一つの塊りの成型物となり穴の壁に強力に接着する。裾拡がりで引抜けないアンカーの完成である。
【考案の効果】
【０００６】  本考案のアンカーは金属系と接着系を組合わせたハイブリット型あと施工アンカーで、両者の利点を合わせ持ったアンカーである。引張抵抗力１００ｋＮ以上、無理に引抜けばアンカー筋のねじ部で切れる。引抜けないアンカーが得られた。
【図面の簡単な説明】
【０００７】
【図１】本考案のハイブリッド拡底板付きあと施工アンカーの平面図
【図２】拡底板の説明図
【図３】本考案のアンカーの施工説明図
【考案を実施するための形態】
【０００８】  アンカー筋としてＪＩＳ  Ｇ３１１２  ＳＤ３４５  Ｄ１９（直径約２０ｍｍ）規定の異形棒鋼長さ１７５ｍｍの一端に４ケ処半円形の凹部３を有する厚さ１０ｍｍ直径４３ｍｍφＳＳ４００の円形の拡底板４を熔接したもので、他端５５ｍｍにはＭ１６相当のねじ加工が施してある。４５ｍｍφのドリルビットを装着したハンマードリルで埋め込み長さ１２０ｍｍに穿孔し、切削屑を充分取除いた後、前記アンカー筋を挿入する。
【０００９】  エポキシ樹脂接着剤を主剤／硬化剤＝１／１の割合で取り出しハンドミキサーで均一になる迄撹拌混合したものを、アンカー筋、穴の壁等の隙間に空気の残らないように流し込む。無収縮モルタルの場合も同様にモルタルと水の混合物を隙間に流し込む。エポキシ樹脂の硬化又はモルタルの固化が終れば本考案のハイブリッド拡底板付きあと施工アンカーの施工完了である。
【符号の説明】
【００１０】１．本考案のハイブリッド拡底板付きあと施工アンカー
２．異形棒鋼
３．凹部（半円型）
４．拡底板
５．合成樹脂硬化物又は無収縮モルタル固化物
【図１】
0003229381.tif 000003
【図２】
0003229381.tif 000004
【図３】
0003229381.tif 000005
【手続補正書】
【提出日】令和2年6月8日(2020.6.8)
【手続補正１】
【補正対象書類名】実用新案登録請求の範囲
【補正対象項目名】請求項１
【補正方法】変更
【補正の内容】
【請求項１】
異形棒鋼の先端に凹部３を有する拡底板４を熔接した構造のあと施工アンカー。拡底板４は、厚さ６ｍｍ以上、直径は異形棒鋼２の直径より大きい直径を持つＳＳ４００の円形鉄板である。
【手続補正書】
【提出日】令和2年8月25日(2020.8.25)
【手続補正１】
【補正対象書類名】実用新案登録請求の範囲
【補正対象項目名】全文
【補正方法】変更
【補正の内容】
【実用新案登録請求の範囲】
【請求項１】
ハイブリッド拡底板付きあと施工アンカーであって
（１）厚さ６ｍｍ以上、直径は異形棒鋼の直径より大きい直径を持つ円形鉄板で凹部を有する拡底板を前記異形棒鋼の先端に溶接することで構成される金属アンカーと、
（２）前記金属アンカーが挿入される、ハンマードリルを用いて開けた拡底板の直径より大きな直径の穴と、を有し、
（３）エポキシ樹脂、エポキシアクリレート樹脂、不飽和ポリエステル樹脂等樹脂系接着剤の主剤、硬化剤の混合物、又は無収縮モルタルと水の混合物を前記金属アンカーと前記穴の隙間に流し込み、前記混合物が硬化又は固化することにより前記穴の内容物全体が一つの塊の成形物となることで構成されるハイブリッド拡底板付きあと施工アンカー。